(57)【特許請求の範囲】
【請求項１】
底層（1）、透明な保護層（2）、反射層（3）及び画像形成可能な画素点（4）を含み、
前記透明な保護層（2）は底層（1）の一方に設けられ、前記画素点（4）は前記透明な保護層（2）に嵌め込まれ、
前記画素点（4）は互いに密着する複数のマイクロレンズ（401）からなり、前記反射層（3）は下へ湾曲して前記複数のマイクロレンズ（401）の下部に設けられ、前記反射層（3）にはモノグラムが焼かれ、前記複数のマイクロレンズ（401）は上へ凸起した曲面又は下へ湾曲した曲面であり、隣り合う二つの画素点（4）同士の水平位置に段差Hを有し、いずれか一つの画素点（4）内における前記複数のマイクロレンズ（401）の曲率半径は等しく、隣り合う二つの画素点（4）間における前記複数のマイクロレンズ（401）の曲率半径の差は1〜70umであることを特徴とする動的立体画像形成可能なシート。
【請求項２】
隣り合う二つの画素点（4）同士の水平位置に段差Hは0.07〜0.08mmであることを特徴とする請求項１に記載の動的立体画像形成可能なシート。
【請求項３】
前記複数のマイクロレンズ（401）の曲率半径は0.065〜0.075mmであることを特徴とする請求項１に記載の動的立体画像形成可能なシート。
【請求項４】
隣り合う二つの画素点（4）間における前記複数のマイクロレンズ（401）の曲率半径の差は10〜20umであることを特徴とする請求項１に記載の動的立体画像形成可能なシート。
【請求項５】
画素点（4）内における前記複数のマイクロレンズ（401）の数は2〜42個であることを特徴とする請求項１に記載の動的立体画像形成可能なシート。
【請求項６】
前記曲面は球面又は非球面であることを特徴とする請求項１〜５のいずれかに記載の動的立体画像形成可能なシート。
【請求項７】
前記曲面は放物面、双曲面又は高次曲面であることを特徴とする請求項６に記載の動的立体画像形成可能なシート。
【発明の詳細な説明】
【技術分野】
【０００１】
本発明は画像記録可能なシート及び該シートを製造するための装置に関する。
【背景技術】
【０００２】
画像記録可能なフィルム材料は様々な商品の包装、証書、文書等の偽造防止ラベル、例えば各種商品の偽造防止商標、運転免許書やパスポート等の商標に広く用いられている。幾つかの米国特許には画像シートの作製方法が紹介されており、この種のシート上の画像はレーザ照射角度から観察したときのみ光を反射したシート中に形成される画像が観察される。つまり、限られた角度でのみシート中の画像を見ることができる。このようなシート上に現れる画像特性には限度がある。
【０００３】
幾つかの資料にはシート上の画像を集積する技術が説明されているが、方法が比較的複雑で、単一又は複数のカメラを用いて、同一物体に対して異なる角度で撮影記録するもので、一定の正確さが満たされて初めて一つの三次元画像を合成でき、観察方向から合成画像を照射してのみ物体の実像を観察できる。関連の特許資料は平面及び簡単な立体画像しか合成できず、且つ、作製工程が複雑なものしか紹介していない。
【発明の概要】
【発明が解決しようとする課題】
【０００４】
本発明の目的は従来技術に存在する上記問題を解消し得る動的立体画像形成可能なシート及びその製造装置を提供することにある。
【課題を解決するための手段】
【０００５】
本発明の動的立体画像形成可能なシートは底層、透明な保護層、反射層及び画像形成可能な画素点を含み、
前記透明な保護層は底層の一方に設けられ、前記画素点は前記透明な保護層に嵌め込まれ、
前記画像形成可能な画素点は密着するマイクロレンズからなり、前記反射層は下へ湾曲して前記マイクロレンズの下部に設けられ、前記反射層にはモノグラムが焼かれ、前記マイクロレンズは上へ凸起した曲面又は下へ湾曲した曲面であり、隣り合う二つの画素点同士の水平位置に段差Hを有し、いずれか一つの画素点におけるマイクロレンズの曲率半径は等しく、隣り合う二つの画素点におけるマイクロレンズの曲率半径の差は1〜70umである。
【０００６】
本発明の前記動的立体画像形成可能なシートを製造するための装置は、レーザー、散光変調器、ビームエキスパンダ、コリメータオブジェクトレンズ、45°全反射ミラー、正非球面レンズ又は負非球レンズ、及びモノグラム孔を設けた遮光テンプレートを含み、遮光テンプレートのモノグラム孔に負非球面レンズ又は正非球面レンズを設け、
前記散光変調器はレーザーの一端に設けられ、前記ビームエキスパンダは前記散光変調器の他端に設けられ、前記コリメータオブジェクトレンズは散光変調器の他端に設けられ、前記45°全反射ミラーは前記コリメータオブジェクトレンズの他端に設けられ、前記モノグラム孔を設けた遮光テンプレートは前記45°全反射ミラーの下方に設けられ、前記正非球面レンズ又は負非球レンズは遮光テンプレートの下方に設けられる。
【０００７】
本発明は以下のように製造される。
本分野でよく用いられる塗布方法により、前記透明な保護層を底層の一方に塗布し、それから前記反射層を保護層2に塗布し、最後に画素点を前記透明な保護層における反射層の上方に嵌め込んでシートを得て、
レーザーからの光ビームは拡大コリメートした後、負非球面レンズ又は正非球面レンズを通り、その後、モノグラム孔を設けた遮光テンプレートを通り、前記遮光テンプレートのモノグラム孔に前記正非球面レンズ又は負非球レンズを設け、動的立体画像形成可能なシートを得る。
【０００８】
本発明の動的立体画像形成可能なシートは、隣り合う画素点からなる連続画像が空間立体的感覚を与え、その後、マイクロレンズが画像の一部をシート上面又は一部を下面に合成し、人の視線とシート方位の違いに伴い、動的立体画像を合成できる。動的立体画像はシートに現れ、即ち、マイクロレンズシート上面又は下面に浮遊する立体画像を合成し、この画像は観察者の異なる角度からの観察に伴い動的に変化する。これらはシート上面、シート中及びシート下面に跨り、一般のホログラムイメージとは異なり、該シート上の画像は複製できず、観察者はこの動的立体効果を目視することができる。
【０００９】
本発明の動的立体画像形成可能なシートは例えば、身分証、パスポート、卒業証書、入場券、各種製品の商標偽造防止、火災警報等の特別なマークが必要な画像、器機メーターの情報表示等に広く応用される。
【図面の簡単な説明】
【００１０】
【図１】図1は動的立体画像形成可能なシートの断面概略図である。
【図２】図2はシート上に動的浮点を焼く装置の構造概略図。
【図３】図3は遮光テンプレートの構造概略図。
【発明を実施するための形態】
【００１１】
図1を参照し、本発明の動的立体画像形成可能なシートは底層1、透明な保護層2、反射層3及び画像形成可能な画素点4を含み、
前記透明な保護層2は底層1の一方に設けられ、前記画素点4は前記透明な保護層2に嵌め込まれ、
前記画素点4は密着するマイクロレンズ401からなり、前記反射層3は下へ湾曲して前記マイクロレンズ401の下部に設けられ、前記反射層3にはモノグラムが焼かれ、前記マイクロレンズ401は上へ凸起した曲面又は下へ湾曲した曲面であり、隣り合う二つの画素点4同士の水平位置に段差Hを有し、いずれか一つの画素点4におけるマイクロレンズ401の曲率半径は等しく、隣り合う二つの画素点4におけるマイクロレンズ401の曲率半径の差は1〜70umである。
【００１２】
隣り合う二つの画素点4同士の水平位置に段差Hは0.07〜0.08mmが好ましい。
【００１３】
マイクロレンズ401の曲率半径は0.065〜0.075mmが好ましく、0.070mmがより好ましい。
【００１４】
隣り合う二つの画素点4におけるマイクロレンズ401の曲率半径の差は10〜20umが好ましい。
【００１５】
画素点4におけるマイクロレンズ401の数は2〜42個が好ましい。
【００１６】
前記曲面は球面又は非球面であり、放物面、双曲面又は高次曲面等を含むのがより好ましい、放物面が最も好ましい。
【００１７】
前記底面1の材料はポリウレタン、ポリアクリル酸、フェノール樹脂等から選ばれる。
前記保護層2の材料はPVC（ポリ塩化ビニル）、PP（ポリスチレン）、PET（ポリエチレンテレフタレート）又はPU（ポリウレタン）から選ばれる。
【００１８】
前記マイクロレンズ401の材料はPC又はPMMA等から選ばれる。
【００１９】
前記反射層3の材料はAl又はZnS等から選ばれる。
【００２０】
図2はモノグラムを焼くための装置であり、図2及び図3を参照し、本発明に記載の装置はレーザー10、散光変調器11、ビームエキスパンダ12、コリメータオブジェクトレンズ13、45°全反射ミラー14、正非球面レンズ又は負非球レンズ15、及びモノグラム孔17を設けた遮光テンプレート16を含み、遮光テンプレート16のモノグラム孔17に負非球面レンズ又は正非球面レンズ18を設け、
前記散光変調器11はレーザー10の一端に設けられ、レーザービームからの光を散光ビームに変え、光ビームを均一化し、前記ビームエキスパンダ12は前記散光変調器11の他端に設けられ、その作用はレーザービームを拡大することであり、前記コリメータオブジェクトレンズ13は散光変調器11の他端に設けられ、レーザービームをコリメートする平行光に変え、前記45°全反射ミラー14は前記コリメータオブジェクトレンズ13の他端に設けられ、レーザービームを45°折り返し、前記モノグラム孔17を設けた遮光テンプレート16は前記45°全反射ミラー14の下方に設けられ、前記正非球面レンズ又は負非球レンズ15は遮光テンプレート16の下方に設けられる。
【００２１】
前記正非球面レンズ又は負非球レンズ18の曲率半径は0.18〜0.35umである。
【００２２】
本発明の作動原理は以下のとおりである。モノグラムを焼くべきな前記シート20を遮光テンプレート16の下方に置き、レーザーからの光は散光変調器11を通り、散光ビームに変え、光ビームを均一化し、ビームエキスパンダ12により拡大コリメートされた後、光ビームはモノグラム孔17を設けた遮光テンプレート16を通り、再び正非球面レンズ又は負非球面レンズ15を通り、モノグラム孔17に負非球面レンズ又は正非球面レンズ18が設けられていることから、モノグラムのシート上で形成される画像はシート上面又は下面10mmの位置に明晰に形成され、その後、シート上に垂直に照射し、シート上の感光材料は露光によって動的画像を形成し、前記画像はシート上面又は下面に浮遊する。
【図１】
0005503658.tif 000002
【図２】
0005503658.tif 000003
【図３】
0005503658.tif 000004